(57)【要約】本発明は包装材の上部に装飾性を有する起立板を突出するように構成して、立体的装飾性を有するようにし、包装材で使用した後、多様な用途に活用可能にした立体的装飾性を有する包装材を提供することを目的とする。即ち、本発明は立体的装飾性を有する包装材（１）を構成するにおいて、包装材（１）は上下に上部包紙（４ａ）と下部包紙（４ｂ）を２重に形成して、内部に空間部（４ｃ）が形成され、上部包紙（４ａ）に切開部（５）が形成された包装パネル（２ａ）または上部に切開部（５）が形成され、内側上部に下部包紙（４ｂ）が設置されて、内部に空間部（４ｃ）が形成された包装手段（２ｂ）の中の何れか一つの上部に下部支持部（３ａ）が切開部（５）上に内入されて水平状態から起立されて突出されるように構成された自体、装飾性を有する起立板（３）を一つ以上設置したことを特徴とし、同時に、起立板（３）と隔離距離（Ｗ）がスライド調節される間隔調節片（６）を設置するか、起立板（３）に前後に自由自在に折曲される載置アーム（８）を一体に形成したことを特徴とする。【選択図】図１
2013510050.tif 000002
【特許請求の範囲】
【請求項１】
上下に上部包紙（４ａ）と下部包紙（４ｂ）を２重に形成して、内部に空間部（４ｃ）が形成された包装パネル（２ａ）と、
前記包装パネル（２ａ）の上部包紙（４ａ）に空間部（４ｃ）と連通されるように切開された切開部（５）と、
前記切開部（５）に内入されて空間部（４ｃ）上に挿入される支持部（３ａ）が下部に一体に形成され、支持部（３ａ）に折曲されて上部へ起立して突出されるように構成された起立板（３）と、を含むことを特徴とする立体的装飾性を有する包装材。
【請求項２】
内側上部に下部包紙（４ｂ）が設置されて、下部包紙（４ｂ）の上側に空間部（４ｃ）が形成された包装手段（２ｂ）と、
前記包装手段（２ｂ）の上部に空間部（４ｃ）と連通されるように切開された切開部（５）と、
前記切開部（５）に内入されて空間部（４ｃ）上に挿入される支持部（３ａ）が下部に一体に形成され、支持部（３ａ）に折曲されて上部へ起立して突出されるように構成された起立板（３）と、を含むことを特徴とする立体的装飾性を有する包装材。
【請求項３】
前記包装パネル（２ａ）または包装手段（２ｂ）の中の何れか一つに起立板（３）と隔離距離（Ｗ）が加減されるようにスライド調節可能に設置された間隔調節片（６）をさらに含むことを特徴とする請求項１または２に記載の立体的装飾性を有する包装材。
【請求項４】
前記包装パネル（２ａ）または包装手段（２ｂ）の中の何れか一つに起立板（３）が直交され、空間部（４ｃ）に貫通されるスライディング切開部（７）が形成され、前記間隔調節片（６）の下部にスライディング切開部（７）で起立板（３）との隔離距離（Ｗ）をスライド調節されるように挿入設置され、間隔調節片（６）が上部へ起立されるようにスライダー支持部（６ａ）が一体に折曲して形成されることを特徴とする請求項３に記載の立体的装飾性を有する包装材。
【請求項５】
切開部（５）を広く構成して起立板（３）の支持部（３ａ）の下側に間隔調節片（６）下部のスライダー支持部（６ａ）が挿入されるようにして、空間部（４ｃ）で起立板（３）との隔離距離（Ｗ）をスライド調節するように構成されたことを特徴とする請求項３に記載の立体的装飾性を有する包装材。
【請求項６】
前記起立板（３）は一つの鉄板を折曲して２つの起立板（３）が起立されるように形成されることを特徴とする請求項１または２に記載の立体的装飾性を有する包装材。
【請求項７】
前記起立板（３）は前後の厚紙（３ｂ）の間に板状の鉄心（３ｃ）が内入されて構成されたことを特徴とする請求項１または２に記載の立体的装飾性を有する包装材。
【請求項８】
前記起立板（３）は厚紙（３ｂ）で形成され、補助鉄板（３ｄ）が起立板（３）と支持部（３ａ）に付着されて構成されたことを特徴とする請求項１または請求項２に記載の立体的装飾性を有する包装材。
【請求項９】
前記起立板（３）の一側に収納物（９）を収納することができるように前後に自由自在に折曲される載置アーム（８）が一体に形成されたことを特徴とする請求項１または２に記載の立体的装飾性を有する包装材。
【請求項１０】
前記包装材（１）は包装パネル（２ａ）または包装手段（２ｂ）、起立板（３）、間隔調節片（６）の中の何れか一つに時計、装飾板、筆記具、各種電子製品の中で択一された付着対象物（１２）が設置されたことを特徴とする請求項１または２に記載の立体的装飾性を有する包装材。
【請求項１１】
前記包装パネル（２ａ）または包装手段（２ｂ）、起立板（３）、間隔調節片（６）の中の何れか一つに付着対象物（１２）が磁石からなる付着手段（１３）によって脱着可能に構成されたことを特徴とする請求項１０に記載の立体的装飾性を有する包装材。
【請求項１２】
前記包装材（１）は起立板（３）が設置された包装パネル（２ａ）または包装手段（２ｂ）の中の何れか一つに形成された掛け孔（１４ａ）と、室内の壁に設置された釘（１４ｂ）とからなる引掛手段（１４）を備え、包装に使用後、壁掛け装飾物として使用可能に構成されたことを特徴とする請求項１または２に記載の立体的装飾性を有する包装材。
【請求項１３】
前記包装パネル（２ａ）または包装手段（２ｂ）の中の何れか一つの辺縁に複数の起立板（３）が対向して起立されるように構成されて起立板（３）の内側に収納物（９）を収納することができるように構成されたことを特徴とする請求項１または２に記載の立体的装飾性を有する包装材。
【請求項１４】
前記起立板（３）の前後に貫通される把持孔（１５ａ）が形成されて包装物全体を持ち上げることができる取っ手（１５）として用いるようにしたことを特徴とする請求項１または２に記載の立体的装飾性を有する包装材。
【請求項１５】
上下に上部包紙（４ａ）と下部包紙（４ｂ）を２重に形成して、内部に空間部（４ｃ）が形成された包装パネル（２ａ）と、前記包装パネル（２ａ）の上部に外郭線に沿って切開された外郭切開線（１６）が構成され、下側一部を切開しないで折り上げるようにした折畳部（１７）が形成されて、上部へ起立して突出されるように構成された起立板（３）と、
起立板（３）下部の空間部（４ｃ）に下部スライダー支持部（６ａ）を内入して起立板（３）との隔離距離（Ｗ）をスライド調節することができるように構成された間隔調節片（６）と、を含むことを特徴とする立体的装飾性を有する包装材。
【請求項１６】
内側上部に下部包紙（４ｂ）が設置されて、下部包紙（４ｂ）の上側に空間部（４ｃ）が形成された包装手段（２ｂ）と、前記包装手段（２ｂ）の上部に外郭線に沿って切開された外郭切開線（１６）が構成され、下側一部を切開しないで折り上げるようにした折畳部（１７）が形成されて上部へ起立して突出されるように構成された起立板（３）と、
起立板（３）下部の空間部（４ｃ）に下部スライダー支持部（６ａ）を内入して起立板（３）との隔離距離（Ｗ）をスライド調節することができるように構成された間隔調節片（６）と、を含むことを特徴とする立体的装飾性を有する包装材。
【発明の詳細な説明】
【技術分野】
【０００１】
本発明は立体的装飾性を有する包装材であって、これをより詳しく説明すれば、各種包装紙、包装パネル、包装ボックスなどの包装材の単純な包装機能に装飾性と美的価値を付与し、装飾性が立体的に表現されるようにして、製品の包装時、製品の価値をより向上させて高級化を図り、立体的装飾性によって包装材として使用した後、多様な用途に活用することができる立体的装飾性を有する包装材に関するものである。
【背景技術】
【０００２】
立体的装飾性を有する包装材において、一般的に包装対象物である製品を包装する包装紙乃至包装ボックスなどの包装材は、単純に製品を包装する機能をし、場合によっては、包装材の表面に多様なパターンや各種イメージなどを印刷して装飾性を高めていたが、単純に表面にイメージなどが印刷された包装材は、包装材として使用した後には廃棄されて使い捨てになる場合が多く、それによって、資源の無駄使いが深刻になり、表面に印刷されたイメージなどで包装対象である製品の装飾性や高級化を図るには充分でないという実情である。
【発明の開示】
【発明が解決しようとする課題】
【０００３】
本発明では、上記した従来技術の諸般問題点を解決するために、新技術を創案したもので、従来単純に表面に各種文様やイメージなどを印刷したことから脱皮して装飾性を付与し、包装材の上部に装飾性を有する起立板を突出するように構成して立体的装飾性を有するようにし、これによって包装対象である製品の装飾性を倍加し、且つ高級化を図るようにし、包装材として使用した後、室内インテリア装飾物や筆記具、メモ差し、カレンダー、アルバム、各種収納箱及び対象物を直接飾る装飾物など多様な用途に活用できるようにした新しい概念の立体的装飾性を有する包装材を提供することを目的とする。
【課題を解決するための手段】
【０００４】
上記発明の課題を解決するための具体的な手段として、本発明では立体的装飾性を有する包装材を構成し、包装材は上下に上部包紙と下部包紙を２重に形成して、内部に空間部が形成され、上部包紙に切開部が形成された包装パネル、または上部に切開部が形成され、内側上部に下部包紙が設置されて、内部に空間部が形成された包装手段の中の何れか一つの上部に下部支持部が切開部上に内入されて水平状態から起立されて突出されるように構成された自体装飾性を有する起立板を一つ以上設置する。場合によっては、起立板を包装パネルまたは包装手段に一体に形成して起立されて突出されるように構成することもできる。
【０００５】
同時に、上記包装パネルまたは包装手段の中の何れか一つに起立されるように設置された起立板と別途に起立板と隔離距離が加減されるようにスライド調節される間隔調節片を設置するか、起立板の左右両側に前後自由自在に折曲される載置アームを一体に形成して包装として使用した後、起立板を起立させて前後一側へ載置アームを折曲させて、各種収納物を収納することができるように収納空間を形成することもできることを特徴とする。
【発明の効果】
【０００６】
上述した課題を解決するための具体的な手段によれば、包装材の包装パネルまたは包装手段の上部に起立板が突出されるように構成して立体的装飾性を付与し、これによって包装対象である製品の装飾性を倍加させ、本発明を包装材として使って製品の高級化を図ることができ、包装材として使用した後、室内インテリア装飾物やメモ差し、カレンダー、アルバム、各種収納箱及び対象物を直接飾る装飾物など多様な用途に活用できるようにして、資源の無駄使いを顕著に減少させることができ、本発明の包装材に各種電子製品、化粧品宝石箱、雑貨用品などを適用して包装材の価値を一層向上させることができ、また、刀やはさみ及び糊などを使わないで立体的造形物を包装材で具現させることができるなど期待される効果が非常に多い発明である。
【図面の簡単な説明】
【０００７】
【図１】本発明の好ましい一実施例であって、包装パネルに起立板が設置された状態を示す斜視図である。
【図２】本発明の好ましい一実施例であって、包装パネルに起立板が設置された状態を示す断面図である。
【図３】本発明の好ましい一実施例であって、包装ボックスに起立板が設置された状態を示す断面図である。
【図４】本発明の第２実施例であって、間隔調節片が付加された状態を示す斜視図である。
【図５】本発明の第２実施例であって、間隔調節片が付加された状態を示す断面図である。
【図６】本発明の第２実施例であって、間隔調節片の他の設置構成を示す断面図である。
【図７】（Ａ）乃至（Ｄ）は、本発明における起立板の多様な実施例を示す断面図である。
【図８】本発明の第３実施例を示す斜視図である。
【図９】本発明の多様な実施例を概略的に示す斜視図である。
【図１０】本発明の多様な実施例を概略的に示す斜視図である。
【図１１】本発明の多様な実施例を概略的に示す斜視図である。
【図１２】本発明の多様な実施例を概略的に示す斜視図である。
【図１３】本発明の中で起立板の、また、他の実施例を示す断面図
【発明を実施するための形態】
【０００８】
図１及び図２は本発明の好ましい一実施例で、包装パネルに起立板が設置された状態を示す斜視図及び断面図であり、図３は本発明の好ましい一実施例で、包装ボックスに起立板が設置された状態を示す断面図で、本発明を上記の図面を参照してより詳細に説明すれば次の通りである。
【０００９】
本発明は包装材１に関し、包装材１は各種包装手段２ｂ（各種商品の包装ボックス及び包装容器、年賀状、招待状などの各種カード、パンフレット（pamphlet）、図書、ファンシー用品など、以下「包装手段」と言う）の上に付着される包装パネル２ａや包装手段２ｂ自体の上部に装飾性を有し、水平状態から起立されて突出されるように構成された起立板３を一つ以上設置したことに発明の特徴がある。
【００１０】
起立板３が装飾性を有することは上部に起立されて突出されるので、３次元的に立体的な装飾性を有するということであり、起立板３の形状や模様を国内外の著名な作家などの絵や彫刻品、著名な人物、各種建築物及び芸術作品または各種動植物などを形象化するか、イメージなどを印刷及び付着させて芸術的デザインを加味させて芸術性を一層向上させるか、使用者によって、子供が主対象である場合、童話、マンガや偉人伝のキャラクターを適用するなど多様に実施することができ、起立板３自体を金などでメッキをするか多様な技術を利用した金属、硝子、木、石材などの質感効果や昆虫、花、草葉など自然素材を利用した色彩効果などを活用して実物のような質感及び色彩効果を付与してより高級化を図ることもできる。
【００１１】
本発明の包装材１は、図１及び図２に示すように、包装パネル２ａの上部に装飾性を有する起立板３が起立されるように２つを突出して形成して、包装パネル２ａを包装手段２ｂの上部に付着して構成したもので、包装として使用した後起立板３を起立させて起立板３の間の空間に各種メモ紙、名刺、カレンダー、写真などを挿して使うことができるようにする。
【００１２】
包装パネル２ａは上下に上部包紙４ａと下部包紙４ｂを２重に形成して、内部に空間部４ｃを形成し、上部包紙４ａの一部分を起立板３の下部が挿入されるように切開して空間部４ｃと連通されるように切開部５を形成し、起立板３の下部に折曲されるように一体に形成された支持部３ａを空間部４ｃの内側に内入されるように構成し、空間部４ｃに内入されて支持される支持部３ａに支えられて起立板３が切開部５の上側に起立されるように構成したもので、必要によって、起立板３下部の支持部３ａを上部包紙４ａの底面や下部包紙４ｂの上面に通常の接着剤または磁石、ベルクロファスナー、両面テープなどの多様な方法を利用して、付着固定させるか着脱可能に構成することもでき、包装パネル２ａを包装手段２ｂに付着して構成する時にも接着剤または磁石、ベルクロファスナー、両面テープなどの多様な方法を適用することができる。
【００１３】
包装パネル２ａは、必要によって、下部包紙４ｂなしに上部包紙４ａのみで構成して切開部５を形成して起立板３を内入して構成し、上部包紙４ａを包装対象物や包装手段２ｂに付着して構成することもできる。
【００１４】
包装材１を構成する際に、図３に示すように、起立板３を包装パネル２ａではない包装ボックスなどの包装手段２ｂ自体の上部に装飾性を有する起立板３を起立されるように突出して形成することも可能で、包装手段２ｂの上部に切開部５を形成して起立板３の支持部３ａが包装手段２ｂの内部に内入されるように構成し、起立板３の支持部３ａの下部に密着されるように包装手段２ｂの内側上部に下部包紙４ｂを設置して下部包紙４ｂの上側に切開部５と連通される空間部４ｃが形成されるように構成する。
【００１５】
また、図４、図５及び図６は本発明の第２実施例で、本発明の第２実施例は包装パネル２ａまたは包装手段２ｂの中の何れか一つに起立されるように設置された起立板３と別途に起立板３と隔離距離Ｗが加減されるようにスライド調節される間隔調節片６を設置したもので、まず包装パネル２ａの上部包紙４ａに起立板３に直交されるように前方や後方に空間部４ｃと貫通されたスライディング切開部７を形成し、間隔調節片６の下部に折曲形成されて間隔調節片６が起立されるように支持しながら、スライディング切開部７で起立板３との隔離距離Ｗをスライド調節されるように挿入されるスライダー支持部６ａを形成し、間隔調節片６は包装パネル２ａだけでなく、起立板３が包装手段２ｂに設置された図３でも同様に適用されるもので、起立板３に直交されるように包装手段２ｂの上部にスライディング切開部７を形成し、スライディング切開部７に間隔調節片６のスライダー支持部６ａを挿入構成して起立板３と間隔調節片６との隔離距離Ｗをスライド調節することができるようにする。
【００１６】
間隔調節片６は、図６に示すように、包装パネル２ａの上部包紙４ａに起立板３と直交されるスライディング切開部７を別途に形成しないで、起立板３が挿入される切開部５を広く構成して起立板３の支持部３ａの下側に間隔調節片６下部のスライダー支持部６ａを挿入されるように構成して、包装パネル２ａの空間部４ｃで起立板３との隔離距離Ｗをスライド調節することができるように構成することもできる。
【００１７】
起立板３と間隔調節片６は立体的装飾性を有し、側面から見た時一字状の形態の他にもボックス形状などに多様に形成することができる。
【００１８】
図７は本発明において起立板３の多様な形状を示すもので、起立板３は図１〜図６に示すように全体を鉄板で構成する。側面から見た時、Ｌ字状に形成するか、図７（Ａ）に示すように、逆Ｔ字状に形成して、支持部３ａが前後に突出されるように構成することもでき、図７（Ｂ）に示すように一つの鉄板を折曲して、２つの起立板３が起立されるように形成する。下部前後に支持部３ａが突出されるように構成することもでき、図７（Ｃ）に示すように、前後の厚紙３ｂの間に板状の鉄心３ｃが内入された構成または図７（Ｄ）に示すように厚紙３ｂで起立板３を形成し、補助鉄板３ｄを起立板３と下部支持部３ａに付着して構成することもでき、起立板３や板状の鉄心３ｃ及び補助鉄板３ｄの材質は鉄板材、その他の金属、ＰＰフィルム、特殊紙など多様に使用可能であり、その構成及び材質を多様に可変させることができ、図面などによって限定されない。
【００１９】
図８は本発明の第３実施例で、第３実施例は包装パネル２ａまたは包装手段２ｂの中の何れか一つに設置される起立板３の一側または左右両側に起立板３と一体に形成されて、前後自在に折曲される載置アーム８を形成して包装として使用した後、起立板３を起立させて前後一側に図８に示すように、平面上で見た時、四角形ないし円形、三角形などの形状に載置アーム８を折曲させて携帯電話、リモコン、筆記具、私物などの各種収納物９を収納することができるように、収納空間１０を有する収納箱１１を構成することができ、場合によって、携帯電話やリモコンなどの収納物９を収納する時滑ることを防止するために底面や載置アーム８の内側に通常のノンスリップパッドを付着し及び容易に把持できるようにして、載置アーム８は起立板３が前後一側に倒れないように支持部の役割を果たすことができる。
【００２０】
図９及び１０は本発明の包装材１を包装として使用した後、多様に使うことができる実施例を示す例で、図９は包装パネル２ａまたは包装手段２ｂの中の何れか一つに起立板３が設置された包装材１の各部位に時計、装飾板（起立板３及び包装材１を装飾するために使われる各種キャラクターや、別途のイメージを付着して板状に構成したもの）、筆記具、各種電子製品（デジタル時計、ラジオ、ＬＥＤ照明灯など）などの付着対象物１２を設置することができるもので、包装材１の包装パネル２ａまたは包装手段２ｂ、起立板３、間隔調節片６に設置可能であり、永久磁石などの付着手段１３によって着脱可能に構成することができ、上記多様な形状及び模様の装飾板を起立板３に着脱可能にして起立板３の全体装飾及びイメージを随時に取り替えることができる。
【００２１】
図１０は起立板３が設置された包装パネル２ａまたは包装手段２ｂに形成された掛け孔１４ａと、室内の壁などに設置された釘１４ｂからなる引掛手段１４を備えて、釘１４ｂに掛け孔１４ａをかけて壁掛け装飾物として使うように構成したもので、引掛手段１４としては、釘１４ｂとこれに対応する掛け孔１４ａの代わりに磁石やベルクロファスナーなどを壁と包装材１にそれぞれ固設して着脱されるように使用可能であり、この時、起立板３を包装パネル２ａや包装手段２ｂで所定間隔隔てて壁に平行に折曲させて起立板３の内側にカレンダーの内紙や写真などを載せてカレンダーや額縁機能にすることができ、上記構成で壁に掛けないで机の上に立てておくと、卓上用カレンダーまたは額縁、メモ差しとしても使用可能であり、起立板３の前方に磁石を着脱可能に付着してメモ紙ホルダーとしても使うことができる。
【００２２】
その他にも、起立板３が設置される包装手段２ｂで図書などを図１１に示すように適用する時、本の内容をイメージ化して起立板３として使うことができ、図書だけではなく年賀状や招待状などの各種カードないし広告宣伝用パンフレットを包装手段２ｂとして適用する時カードのデザインをより向上させることができ、図示したように、包装パネル２ａまたは包装手段２ｂの辺縁に２つ乃至４つの起立板３を対向して起立されるように構成して、起立板３の内側に収納空間１０を形成して収納箱１１として使用することができ、紙、筆記具などは勿論、多様な収納物９を収納することができ、図１２に示すように、包装パネル２ａまたは包装手段２ｂに設置される起立板３の前後に貫通される把持孔１５ａを形成して包装物全体を持ち上げることができる取っ手１５として使うこともできる。
【００２３】
また、必要によって、包装材１を図１３に示すように、包装パネル２ａまたは包装手段２ｂに起立板３を一体に形成することもでき、起立板３の形状にしたがって外郭線を切開して外郭切開線１６を構成する。起立板３の下側一部分を切開しないで折り上げるようにした折畳部１７を形成し、空間部４ｃに間隔調節片６の下部スライダー支持部６ａを内入して起立板３との隔離距離Ｗを調節することができるように構成することもできる。
【産業上の利用可能性】
【００２４】
本発明の包装材は包装対象である製品の装飾性を倍加させ、本発明を包装材として使って製品の高級化を図ることができ、包装材として使用した後、室内インテリア装飾物やメモ差し、カレンダー、額縁、各種収納箱及び対象物を直接飾る装飾物など多様な用途に活用可能にして資源の無駄使いを顕著に減少させることができ、本発明の包装材に各種電子製品、化粧品ケース、雑貨用品などを適用して包装材の価値をさらに向上させることができ、また刀やはさみ及び糊などを使わなくても立体的造形物を包装材で具現させることができるので、産業上の利用可能性がある。
【図１】
2013510050.tif 000003
【図２】
2013510050.tif 000004
【図３】
2013510050.tif 000005
【図４】
2013510050.tif 000006
【図５】
2013510050.tif 000007
【図６】
2013510050.tif 000008
【図７】
2013510050.tif 000009
【図８】
2013510050.tif 000010
【図９】
2013510050.tif 000011
【図１０】
2013510050.tif 000012
【図１１】
2013510050.tif 000013
【図１２】
2013510050.tif 000014
【図１３】
2013510050.tif 000015
【国際調査報告】
2013510050.tif 000016
2013510050.tif 000017
2013510050.tif 000018
2013510050.tif 000019